(57)【要約】【課題】複数の通信装置を同一エリア内で使用した場合であっても、通信エリアを縮小することなく、通話チャネル間の干渉を防止可能な通信装置、および通信システムを提供する。【解決手段】通信装置３から送信された無線電波を受信する受信装置４と、受信装置４と通信装置２との距離の指標となる無線電波を送信する送信装置２と、送信装置２から送信された無線電波を受信する受信部３３と、受信部３３で受信された無線電波の強度を検出する受信強度検出部３４と、送信装置２から送信された無線電波の強度の検出の結果に応じた送信出力で、無線電波を送信するＲＦアンプ３５とを設ける。【選択図】　図１
2004023294.tif 000002
【特許請求の範囲】
【請求項１】
第１の無線電波を送信する通信装置であって、
前記通信装置は、
当該通信装置と前記第１の無線電波の送信先との間の距離の指標となる第２の無線電波を受信する受信手段と、
前記受信手段で受信された第２の無線電波の強度を検出する検出手段と、
前記検出手段による前記第２の無線電波の強度の検出の結果に応じた送信出力で前記第１の無線電波を送信する送信手段とを有する
通信装置。
【請求項２】
前記送信手段は、前記第２の無線電波の受信強度が所定の強度よりも大きい場合は、第１の送信出力で前記第１の無線電波を送信し、前記第２の無線電波の受信強度が前記所定の強度よりも小さい場合は、前記第１の送信出力よりも大きい第２の送信出力で前記第１の無線電波を送信する
請求項１に記載の通信装置。
【請求項３】
前記第２の無線電波は、所定の周波数のトーン信号を含み、
前記送信手段は、前記受信した第２の無線電波に前記所定の周波数のトーン信号が含まれている場合には、前記第２の無線電波の受信強度に応じた送信出力で前記第１の無線電波を送信する
請求項１に記載の通信装置。
【請求項４】
第１の無線電波を送信する通信装置と、前記第１の無線電波を受信する受信装置と、前記受信装置と前記通信装置との距離の指標となる第２の無線電波を送信する送信装置とを有する通信システムであって、
前記通信装置は、
前記第２の無線電波を受信する受信手段と、
前記受信手段で受信された第２の無線電波の強度を検出する検出手段と、
前記検出手段による前記第２の無線電波の強度の検出の結果に応じた送信出力で前記第１の無線電波を送信する送信手段とを有する
通信システム。
【発明の詳細な説明】
【０００１】
【発明の属する技術分野】
本発明は、たとえば、無線電波の送受信を行う通信装置および通信システムに関するものである。
【０００２】
【従来の技術】
従来、たとえばワイヤレスマイク等の通信装置と受信装置とを有する通信システムが知られている。上述の通信システムでは、割り当てられた周波数帯域やチャネル数が限られている。
【０００３】
【発明が解決しようとする課題】
たとえば、同一エリア内で複数の上述の通信装置を用いた場合には、たとえば隣接する異なるチャネル間で干渉して混信がおきやすいために、混信しない程度に離れた周波数のチャネルを使用して通信を行う。このため上述した場合には使用可能なチャネル数がより少なくなる。
【０００４】
上述した干渉を防ぐために、通信装置において従来よりも低い送信出力で送信したとすると、受信装置ではチャネル間の干渉が軽減されるが、しかし通信エリアが縮小してしまうという問題点がある。
【０００５】
本発明は、かかる事情に鑑みてなされたものであり、その目的は、複数の通信装置を同一エリア内で使用した場合であっても、通信エリアを縮小することなく、通話チャネル間の干渉を防止可能な通信装置、および通信システムを提供することにある。
【０００６】
【課題を解決するための手段】
前記目的を達成するために、第１の発明の通信装置は、第１の無線電波を送信する通信装置であって、前記通信装置は、当該通信装置と前記第１の無線電波の送信先との間の距離の指標となる第２の無線電波を受信する受信手段と、前記受信手段で受信された第２の無線電波の強度を検出する検出手段と、前記検出手段による前記第２の無線電波の強度の検出の結果に応じた送信出力で前記第１の無線電波を送信する送信手段とを有する。
【０００７】
第１の発明の通信装置によれば、受信手段では、当該通信装置と第１の電波の送信先との間の距離の指標となる第２の無線電波が受信される。検出手段では、受信手段で受信された第２の無線電波の強度が検出される。送信手段では、検出手段による第２の無線電波の強度の検出の結果に応じた送信出力で、第１の無線電波が送信される。
【０００８】
好適には、前記送信手段は、前記第２の無線電波の受信強度が所定の強度よりも大きい場合は、第１の送信出力で前記第１の無線電波を送信し、前記第２の無線電波の受信強度が前記所定の強度よりも小さい場合は、前記第１の送信出力よりも大きい第２の送信出力で前記第１の無線電波を送信する。
【０００９】
また、好適には、前記第２の無線電波は、所定の周波数のトーン信号を含み、前記送信手段は、前記受信した第２の無線電波に前記所定の周波数のトーン信号が含まれている場合には、前記第２の無線電波の受信強度に応じた送信出力で前記第１の無線電波を送信する。
【００１０】
さらに、前記目的を達成するために、第２の発明の通信システムは、第１の無線電波を送信する通信装置と、前記第１の無線電波を受信する受信装置と、前記受信装置と前記通信装置との距離の指標となる第２の無線電波を送信する送信装置とを有する通信システムであって、前記通信装置は、前記第２の無線電波を受信する受信手段と、前記受信手段で受信された第２の無線電波の強度を検出する検出手段と、前記検出手段による前記第２の無線電波の強度の検出の結果に応じた送信出力で前記第１の無線電波を送信する送信手段とを有する。
【００１１】
【発明の実施の形態】
第１の実施の形態
　図１は、本発明に係る通信システムの第１の実施の形態の全体構成図である。
本実施の形態に係る通信システム１は、図１に示すように、送信装置２、通信装置３、および受信装置４を有する。
【００１２】
図２は、図１に示した通信システムの送信装置、通信装置、および受信装置の位置関係を示す図である。
【００１３】
送信装置２は、受信装置４と通信装置３との距離の指標となる無線電波を送信する。送信装置２は、たとえば図２に示すように受信装置４の近傍に備えられている。また、送信装置２と受信装置４は、同じ位置に備えられていてもよい。
【００１４】
通信装置３は、送信装置２から送信される距離の指標となる無線電波を受信し、受信強度に応じた送信出力で、たとえば、音声信号を含む無線電波を受信装置４に送信する。
たとえば、通信装置３は、移動可能な通信装置であり、たとえばワイヤレスマイク等である。
【００１５】
受信装置４は、たとえば、通信装置３から出力された音声信号を含む無線電波を受信する。また、受信装置４は、所定の処理を行い音声信号に応じた音声出力を行ってもよい。
【００１６】
たとえば、通信システム１において、複数の通信装置３を設ける。複数の通信装置３それぞれと、受信装置４は、異なる周波数である異なるチャネルを用いて所定の通信を行う。
【００１７】
通信装置３は、たとえば図１に示すように、音声信号生成部３１、発振回路３２、受信部３３、受信強度検出部３４、およびＲＦアンプ３５を有する。
受信部３３は本発明に係る受信手段に相当し、受信強度検出部３４は本発明に係る検出手段に相当し、ＲＦアンプ３５は本発明に係る送信手段に相当する。
【００１８】
音声信号生成部３１は、たとえば所定の音声入力に応じた音声信号を生成し、発振回路３２に出力する。
発振回路３２は、音声信号生成部３１から送信された音声信号に基づいて変調したＲＦ信号を発振して、ＲＦアンプ３５に出力する。
【００１９】
受信部３３は、送信装置２から送信された、通信装置３と受信装置４との距離の指標となる無線電波をアンテナＡＴｒを介して受信する。
【００２０】
受信強度検出部３４は、受信部３３で受信された無線電波の強度を検出し、検出した結果をＲＦアンプ３５に出力する。
ＲＦアンプ３５は、受信強度検出部３４による無線電波の強度の検出の結果に応じた送信出力で、発振回路３２から出力されたＲＦ信号に基づいて、音声信号を含む無線電波をアンテナＡＴｔを介して送信する。
【００２１】
具体的には、ＲＦアンプ３５は、送信装置２から送信された無線電波の受信強度が所定の強度よりも大きい場合は、第１の送信出力で無線電波を受信装置４に送信し、送信装置２から送信された無線電波の受信強度が、所定の強度よりも小さい場合は、第１の送信出力よりも大きい第２の送信出力で第１の無線電波を受信装置４に送信する。
【００２２】
図３（ａ）は、図１に示した通信装置３で検出される受信強度と、受信装置４および送信装置２と、通信装置３との距離の関係を示す図である。図３（ｂ）は、図１に示した通信装置３の送信出力と、受信装置４および送信装置２と、通信装置３との距離の関係を示す図である。
【００２３】
通信装置３において、受信強度検出部３４では、図３（ａ）に示すように、たとえば受信装置４および送信装置２と、通信装置３との距離ｒが大きくなると、受信強度が低くなる。たとえば、図２に示すように、所定の受信強度が強度Ｌ１より大きい領域を微弱エリア、強度Ｌ１よりも小さい領域をＢ型エリアという。
【００２４】
たとえば、受信強度検出部３４は、送信装置２から送信された無線電波が、受信強度Ｌ１よりも大きい強度の場合には、ロウレベルの検出信号をＲＦアンプ３５に出力し、受信強度Ｌ１よりも小さい場合には、ハイレベルの検出信号をＲＦアンプ３５に出力する。
【００２５】
ＲＦアンプ３５は、図３（ｂ）に示すように受信強度検出部３４からロウレベルの検出信号が出力された場合には、たとえば０．１ｍＷの送信出力で音声信号を含む無線電波を送信し、受信強度検出部３４からハイレベルの検出信号が出力された場合には、たとえば１０ｍＷの送信出力で音声信号を含む無線電波を送信する。
【００２６】
受信装置４は、たとえば、上述したように通信装置３から出力された音声信号を含む無線電波を受信する。
【００２７】
上述した構成の通信システム１の動作を、図１〜図３を参照しながら簡単に説明する。
たとえば、図２に示すように、送信装置２と受信装置４を所定の位置に備え、複数の通信装置３を設ける。複数の通信装置３それぞれは、異なるチャネルを用いて受信装置４に音声信号を含む無線電波を送信する。
【００２８】
送信装置２から、たとえば、５００ｍＶ／ｍの送信出力で受信装置４と通信装置３との距離の指標となる無線電波が送信される。
【００２９】
通信装置３において、受信部３３では、アンテナＡＴｒを介して送信装置２から送信された信号が受信され、受信強度検出部３４では受信された無線電波の受信強度が検出され、所定の強度Ｌ１よりも大きい場合にはロウレベルの検出信号がＲＦアンプ３５に出力され、所定の強度Ｌ１よりも小さい場合にはハイレベルの検出信号がＲＦアンプ３５に出力される。
【００３０】
音声信号生成部３１では、たとえばユーザによる音声入力に応じた音声信号が生成され、発振回路３２では、音声信号に基づいて変調されたＲＦ信号が発振され、ＲＦアンプ３５に出力される。
ＲＦアンプ３５では、受信強度検出部３４による、送信装置２から送信された無線電波の強度の検出の結果に応じた送信出力で、音声信号を含む無線電波がアンテナＡＴｔを介して送信される。
【００３１】
受信装置４では、たとえば、通信装置３から出力された音声信号を含む無線電波が受信されると、たとえば所定の処理を行い音声信号に応じた音声出力が行われる。
【００３２】
以上説明したように、通信装置３から送信された無線電波を受信する受信装置４と、受信装置４と通信装置３との距離の指標となる無線電波を送信する送信装置２と、送信装置２から送信された無線電波を受信する受信部３３と、受信部３３で受信された無線電波の強度を検出する受信強度検出部３４と、送信装置２から送信された無線電波の強度の検出の結果に応じた送信出力で、無線電波を送信するＲＦアンプ３５とを設けたので、複数の通信装置３を同一エリア内で使用した場合であっても、通信エリアを縮小することなく、通話チャネル、周波数間の干渉を防止可能である。
【００３３】
第２の実施の形態
　図４は、本発明に係る通信システムの第２の実施の形態の全体構成図である。本実施の形態に係る通信システム１ａは、図４に示すように、送信装置２ａ、通信装置３ａ、および受信装置４を有する。
【００３４】
通信システム１ａは、第１の実施の形態に係る通信システム１とほぼ同様なので相違点のみ説明する。
【００３５】
送信装置２ａは、たとえば図４に示すようにトーン信号生成部２１を有し、通信装置３ａと受信装置４との間の距離の指標となる無線電波に、所定の周波数のトーン信号を含めて送信する。
このトーン信号は、たとえば通信装置３ａがその無線電波を受信する場合に、外来ノイズ等による影響を除去するために用いられる。
【００３６】
通信装置３ａは、送信装置２ａから送信された無線電波に所定の周波数のトーン信号が含まれている場合には、その無線電波の受信強度に応じた送信出力で音声信号を含む無線電波を送信する。
【００３７】
具体的には、通信装置３ａは、図４に示すように、音声信号生成部３１、発振回路３２、受信部３３ａ、受信強度検出部３４ａ、ＲＦアンプ３５ａ、およびトーン信号検出部３６を有する。
【００３８】
トーン信号検出部３６は、受信部３３ａで受信された、送信装置２ａから送信された無線電波の内からトーン信号を検出し、検出した結果を示す信号をＲＦアンプ３５ａに出力する。
【００３９】
ＲＦアンプ３５ａは、トーン信号検出部３６から出力されたトーン信号を検出した結果を示す信号に応じて、たとえばトーン信号が検出された旨を示すデータが含まれている場合には、受信強度検出部３４ａによる無線電波の強度の検出の結果に応じた送信出力で、発振回路３２から出力されたＲＦ信号に基づいて、音声信号を含む無線電波をアンテナＡＴｔを介して送信する。
【００４０】
その他の構成要素の機能は、第１の実施の形態に係る各構成要素の機能とほぼ同様であるので、説明を省略する。
【００４１】
以上説明した構成の通信システム１ａの動作を簡単に説明する。
送信装置２ａでは、トーン信号生成部２１により生成された所定の周波数のトーン信号を含む、受信装置４と通信装置３ａとの距離の指標となる無線電波を送信する。
【００４２】
通信装置３ａにおいて、トーン信号検出部３６では、受信部３３ａで受信された、送信装置２ａから送信された無線電波の内からトーン信号を検出し、検出した結果を示す信号がＲＦアンプ３５ａに出力される。ＲＦアンプ３５ａでは、トーン信号検出部３６から出力されたトーン信号を検出した結果を示す信号に応じて、たとえばトーン信号が検出された旨を示すデータが含まれている場合には、受信強度検出部３４ａによる無線電波の強度の検出の結果に応じた送信出力で、発振回路３２から出力されたＲＦ信号に基づいて、音声信号を含む無線電波がアンテナＡＴｔを介して送信される。
【００４３】
以上説明したように、本実施の形態に係る通信システム１ａにおいて、通信装置３ａでは、送信装置２ａから送信された無線電波に、トーン信号が含まれている場合に、音声信号を含む無線電波を送信するので、たとえば、送信装置２ａから送信される無線電波を受信する際に、外来ノイズ等による影響を除去することができる。
【００４４】
第３の実施の形態
　図５は、本発明に係る通信システムの第３の実施の形態の全体構成図である。
本実施の形態に係る通信システム１ｂは、図５に示すように、送信装置２、通信装置３ｂ、および受信装置４を有する。
【００４５】
通信装置３ｂは、図５に示すように、音声信号生成部３１、発振回路３２、受信部３３、受信強度検出部３４ｂ、ＲＦアンプ３５ｂ、およびＡＴＴ３７を有する。
本実施の形態に係る通信システム１ｂの各構成要素において、第１の実施の形態に係る通信システム１の各構成要素と同じ機能を有するものに関しては説明を省略し、相違点のみ説明する。
【００４６】
ＲＦアンプ３５ｂは、たとえば、発振回路３２から出力された音声信号を含むＲＦ信号を所定のレベルまで、たとえば減衰させることなく送信された場合に送信出力が１０ｍＷになるまでＲＦ信号を増幅してＡＴＴ３７に出力する。
【００４７】
受信強度検出部３４ｂは、受信部３３で受信された無線電波の強度を検出し、検出した結果をＡＴＴ３７に出力する。
【００４８】
ＡＴＴ（アッテネータ）３７は、ＲＦアンプ３５ｂにより増幅されたＲＦ信号を、受信強度検出部３４ｂで検出された結果に応じた送信出力になるように減衰させて、アンテナＡＴｔを介して無線電波を送信させる。
【００４９】
具体的には、ＡＴＴ３７は、受信強度検出部３４ｂから、送信装置２から送信された無線電波の受信強度が所定の強度Ｌ１よりも大きいことを示す信号が出力された場合には、ＲＦアンプ３５ｂから出力された信号を、たとえば送信出力０．１ｍＷになるように減衰させ、アンテナＡＴｔを介して無線電波を受信装置４に送信する。
【００５０】
一方、ＡＴＴ３７は、受信強度検出部３４ｂから、受信強度が所定の強度Ｌ１よりも小さいことを示す信号が出力された場合には、ＲＦアンプ３５ｂから出力されたＲＦ信号を減衰させることなく、アンテナＡＴｔを介して１０ｍＷの送信出力で送信させる。
【００５１】
上述した構成の通信システム１ｂの動作を簡単に説明する。第１の実施の形態に係る通信システム１と同様な構成要素の動作に関しては、説明を省略する。
【００５２】
本実施の形態に係る通信装置３ｂにおいて、受信強度検出部３４ｂでは、受信部３３で受信された無線電波の強度が検出され、検出した結果がＡＴＴ３７に出力される。ＡＴＴ３７では、ＲＦアンプ３５ｂにより増幅されたＲＦ信号が、受信強度検出部３４ｂで検出された結果に応じた送信出力になるように減衰させて、アンテナＡＴｔを介して無線電波を送信させる。
【００５３】
上述したように、ＲＦアンプ３５ｂから出力されたＲＦ信号を、受信強度に応じて減衰させるＡＴＴ３７を設けたので、簡単な回路構成で、複数の通信装置を同一エリア内で使用した場合であっても、通信エリアを縮小することなく、通話チャネル間の干渉を防止することができる。
【００５４】
なお、本発明は本実施の形態に限られるものではなく、任意好適な種々の改変が可能である。
たとえば、送信装置２と受信装置４とを同一の場所に設置してもよいし、送信装置２を任意の場所に設置して、送信装置２が、受信装置４と通信装置３との距離の指標となるような指向性を有する無線電波を送信するようにしてもよい。
【００５５】
また、音声信号は、アナログ信号でもよいし、デジタル信号でもよい。たとえば、具体的には、音声信号生成部は、アナログ−デジタル変換部を含み、音声信号をアナログ信号からデジタル信号に変換して、発振回路に出力してもよい。この場合には、発振回路、ＲＦアンプ等の受信装置の各構成要素は、このデジタル信号に応じた処理を行う。
【００５６】
【発明の効果】
本発明によれば、複数の通信装置を同一エリア内で使用した場合であっても、通信エリアを縮小することなく、通話チャネル間の干渉を防止可能な通信装置、および通信システムを提供することができる。
【図面の簡単な説明】
【図１】図１は、本発明に係る通信システムの第１の実施の形態の全体構成図である。
【図２】図２は、図１に示した通信システムの送信装置、通信装置、および受信装置の位置関係を示す図である。
【図３】図３（ａ）は、図１に示した通信装置で検出される受信強度と、受信装置および送信装置と、通信装置との距離の関係を示す図である。図３（ｂ）は、図１に示した通信装置の送信出力と、受信装置および送信装置と、通信装置との距離の関係を示す図である。
【図４】図４は、本発明に係る通信システムの第２の実施の形態の全体構成図である。
【図５】図５は、本発明に係る通信システムの第３の実施の形態の全体構成図である。
【符号の説明】
１，１ａ，１ｂ…通信システム、２…送信装置、３，３ａ，３ｂ…通信装置、４…受信装置、２１…トーン信号生成部、３１…音声信号生成部、３２…発振回路、３３…受信部、３４…受信強度検出部、３５…ＲＦアンプ、３６…トーン信号検出部、３７…ＡＴＴ、ＡＴｔ，ＡＴｒ…アンテナ。
【図１】
2004023294.tif 000003
【図２】
2004023294.tif 000004
【図３】
2004023294.tif 000005
【図４】
2004023294.tif 000006
【図５】
2004023294.tif 000007